(57)【要約】 【課題】  ヘッドスピードが最大速度となるスイング位置を正確に知ることができ、スイングに必要な筋肉を強化することができると共に、シャフトに簡単に着脱することができるゴルフ練習具を提供する。【解決手段】  円筒状の本体１の両端の端面３の中心にゴルフクラブを挿通するシャフト挿通孔２を設けると共に、本体１の側面からシャフト挿通孔２に亘ってスリット４を設け、当該スリット４には本体１の全長の長手方向に縦長の長方形状の音発生用の開口部５を設ける。【選択図】図１
0003218498.tif 000002
【実用新案登録請求の範囲】
【請求項１】
ゴルフクラブのシャフトを挿通するシャフト挿通孔を設けた筒状の本体と、前記本体の側面から前記シャフト挿通孔にかけて前記シャフトを挿入するスリットとを備え、前記スリットが本体の側面に形成される音発生用の開口部の全部又は一部を構成することを特徴とするゴルフ練習具。
【請求項２】
前記本体に円筒状の端部と、前記端部に着脱自在に嵌合するキャップ状の蓋部とを備え、前記蓋部に前記シャフトを挿通するシャフト挿通孔と前記蓋の側面から前記シャフト挿通孔にかけて前記シャフトを挿入するスリットを設けると共に、前記本体のスリットと前記蓋部とで前記開口部を構成したことを特徴とする請求項１に記載のゴルフ練習具。
【請求項３】
前記本体内に錘収納部を設けたことを特徴とする請求項１又は請求項２に記載のゴルフ練習具。
【考案の詳細な説明】
【技術分野】
【０００１】
本考案は、ゴルフのスイングを練習するためにゴルフクラブに取付けて使用するゴルフ練習具に関するものである。
【背景技術】
【０００２】
ゴルフにおいてドライバー等で正しいスイングを行って、打球の飛距離を出すためにはインパクト時にヘッドスピードが最大速度になるようにダウンスイングからインパクト時までの手首のタメや返しの位置調整等が必要である。そのため、正しいスイングを行うために多数の練習具が考案されており、例えば、特許文献１に示すようにヘッドスピードが最大となった時に摺動子が固定子を離れてシャフトの長手方向に摺動し、摺動子がゴルフヘッド付近に取付けたストッパに衝突する衝撃音によりヘッドスピードが最大となった瞬間のスイングの位置を知ることができる練習具があった。
【先行技術文献】
【特許文献】
【０００３】
【特許文献２】実開昭４９−１２５１３６号公報
【考案の概要】
【考案が解決しようとする課題】
【０００４】
しかし、特許文献１の練習具は、ゴルフクラブに取付けるために３つの部品を取付けなければならず、取付け及び取外し作業が煩雑である。従って、実際に競技直前にスイングの練習する場合には、ゴルフクラブに係る練習具を取付けてスイングの練習をすることができなかった。また、摺動子がシャフトを摺動するため、摺動子が高価なシャフトを傷つけてしまい、実際に実技で使うゴルフクラブに取付けて練習することができなかった。そして、スイングの練習をする際に、ヘッドスピードが最大速度となる時に、摺動子が固定子から離れてストッパに衝突するまでに摺動時間によるタイムラグがある。そのため、ヘッドスピートが最大速度となる瞬間と衝撃音との間に誤差があり、正確にヘッドスピードが最大速度となるスイングの位置が分からないという問題があった。
【０００５】
そこで、本考案は、ヘッドスピードが最大速度となるスイング位置を正確に知ることができると共に、シャフトに簡単に着脱することができるゴルフ練習具を提供することを課題とするものである。
【課題を解決するための手段】
【０００６】
本考案は、上記の課題を解決するためになされたもので、請求項１に記載の考案は、ゴルフクラブのシャフトを挿通するシャフト挿通孔を設けた筒状の本体と、前記本体の側面から前記シャフト挿通孔にかけて前記シャフトを挿入するスリットとを備え、前記スリットが本体の側面に形成される音発生用の開口部の全部又は一部を構成することを特徴とするゴルフ練習具である。
【０００７】
請求項２に記載の考案は、請求項１に記載の考案において、前記本体に円筒状の端部と、前記端部に着脱自在に嵌合するキャップ状の蓋部とを備え、前記蓋部に前記シャフトを挿通するシャフト挿通孔と前記蓋の側面から前記シャフト挿通孔にかけて前記シャフトを挿入するスリットを設けると共に、前記本体のスリットと前記蓋部とで前記開口部を構成したことを特徴とするゴルフ練習具である。
【０００８】
請求項３に記載の考案は、請求項１又は請求項２に記載の考案において、前記本体内に錘収納部を設けたことを特徴とするゴルフ練習具である。
【考案の効果】
【０００９】
請求項１に記載の本考案によれば、ゴルフクラブのシャフトをスリットからシャフト挿通孔に挿入することで簡単にゴルフ練習具をゴルフクラブのシャフトに取付けることができる。また、ゴルフクラブのシャフトをスリットからシャフト挿通孔に通すだけで本体、即ちゴルフ練習具を簡単に着脱することができる。そして、音発生用の開口部をゴルフクラブのヘッドのフェースの進行方向に向けてシャフトに取付けることにより、スイング時のヘッドスピードが最大速度になった時に、開口部から最大音の音が発生するので、ヘッドスピードが最大速度となるスイングの位置を正確に知ることができ、音が最大音となるスイング位置をインパクト時と同時になるように手首のタメや返し位置の調整等の練習をすることで、実技の際に打球の飛距離を出すことができる。また、本考案のゴルフ練習具を使用することで、スイングを行っている本人だけでなく正面又は真後ろ等の周囲にいる他人も、スイング時のゴルフクラブのヘッドスピードが最大速度になって音が発生したスイングの位置を確認することができる。
【００１０】
また、請求項２に記載の考案によれば、ゴルフ練習具本体がゴム等の可撓性材料の素材でなくとも変形させずにゴルフ練習具をシャフトに簡単に取付けることができる。
【００１１】
また、請求項３に記載の考案によれば、本体内の錘収納部に錘を入れることでスイングに使用する筋肉の筋力強化のための練習にもゴルフ練習具を使用することができる。
【図面の簡単な説明】
【００１２】
【図１】本考案の実施例１を示す斜視図である。
【図２】本考案の実施例２を示す正面図である。
【図３】本考案の実施例２を示す上面図である。
【図４】図３のＡ−Ａ線断面図である。
【図５】本考案の実施例２のゴルフクラブのシャフトへの取付け方法を示した概略説明図で、（ａ）はゴルフクラブの装着前の状態を示す図、（ｂ）はゴルフクラブのシャフトへ取付けた状態を示す図、（ｃ）はゴルフクラブのシャフトに固定した状態を示した図である。
【図６】本考案の実施例３を示す正面図である。
【図７】本考案の実施例３を示す上面図である。
【図８】図７のＢ−Ｂ線断面図である。
【図９】本考案の実施例３の錘を使用した場合の分解斜視図である。
【実施例１】
【００１３】
図１は、本考案のゴルフ練習具の実施例１の斜視図で、１はゴム製又は可撓性の合成樹脂製の円筒状のゴルフ練習具の本体、２は本体１の両端の端面３の中心に設けられたゴルフクラブのシャフトを挿通するシャフト挿通孔、４は本体１の側面からシャフト挿通孔２に亘って本体１の側面に設けたスリット、５はスリット４に設けた本体１の全長の長手方向に縦長の長方形状の音発生用の開口部、６はシャフト挿通孔２に取付けられたゴルフクラブのヘッドとシャフトの接合部材が遠心力でシャフト挿通孔２にめり込むのを防止するシャフト挿通孔２の周辺に設けられた金属製又は硬質合成樹脂製の保護部材である。なお、スリット４は、本体１の側面から挿通孔２まで達して設けられており、開口部５の短辺と長辺の全部はスリット４の一部で構成されている。シャフト挿通孔２は、シャフトの直径とほぼ同じかやや小さめに形成されている。
【００１４】
本実施例１のゴルフ練習具の取付方法について説明すると、先ず、開口部５と共にスリット４を左右に広げて変形させ、ゴルフクラブのシャフトをシャフト挿通孔２に挿入する。シャフト挿通孔２は、シャフトの直径とほぼ同じかやや小さいめに形成されているため、シャフトに密着してシャフトを把持し、本体１がシャフトに固定される。このとき、ゴルフ練習具の本体１を取付けるシャフトの位置は、ヘッドスピードによる音を発生させるため、シャフトの先端のヘッドに近い位置に取付けるのがよい。また、開口部５をゴルフクラブのヘッドのフェースの進行方向に向けてシャフトに取付けるように開口部５の位置を調整する。
【００１５】
そして、本実施例１のゴルフ練習具の本体１を取付けたゴルフクラブでスイングを行うと、スイング時のヘッドスピードが最大速度に到達した時に、開口部５からの音が最大音となり、ヘッドスピードが最大速度となるスイングの位置を正確に知ることができる。このように、本実施例１のゴルフ練習具を使用すれば、インパクト時にヘッドスピードが最大速度になるように手首のタメや返しの位置を最適化する練習をすることができるため、実技においても打球を遠くに飛ばすことができる。また、音によりヘッドスピードが最大速度となるスイングの位置を知ることができるため、本人のみならず、正面か真後ろ等にいる同伴者も、ヘッドスピートが最大速度となって音が発生したスイングの位置を再確認することができる。
【００１６】
また、ゴルフ練習具の本体１をシャフトから取り外す際には、スリット５を左右に広げれば直ぐにシャフトから取り外すことができ、本体１の取付け及び取外しが簡単である。従って、実技の直前に本体１を取付けてスイングの練習を行って、インパクト位置を確認し、実技をする際に素早く取り外して練習の感触を残したまま実技に移ることができる。
【００１７】
なお、本実施例１では、開口部５は本体１の長手方向に縦長の長方形状で、横幅は１０ｍｍ前後としているが、最大２０ｍｍまでの横幅があればよい。従って、開口部５の形状は、丸型や菱型等の形状でもよく、実施例に示す形状に限定されない。また、本実施例１の本体１は軽量化のため内部にシャフト挿通孔２よりも大きい直径の空間を設けているが、本体１には少なくとも音を発生させるためにある程度の深さを有する開口部５と、シャフトを挿通するためのシャフト挿通孔２を形成するだけの空間が設けてあればよく、本実施例に限定されない。また、本実施例ではシャフト挿通孔２が端面３中心に設けられているが、本体１がシャフトに平行に取付けられていればよいため、シャフト挿通孔２が端面の中心に設けられていなくてもよく、シャフト挿通孔２を端面３に設ける位置は、本実施例に限定されない。
【実施例２】
【００１８】
図２は、本考案の実施例２を示す正面図、図３は、その上面図、図４は、図３のＡ−Ａ線断面図、図５は、本考案の実施例２のゴルフクラブのシャフトへの取付け方法の説明図で、７は円筒状のゴルフ練習具の本体、８は本体１の側面に長手方向に設けたシャフト挿入用のスリット、９は本体１の両端の端面１０の中心から側面に亘って設けたシャフト挿通孔、１１は上面１２の中心から側面に亘って設けたシャフト挿通孔１３と、該シャフト挿通孔１３に続き側面の下縁１５に至るシャフト挿入用のスリット１４を備えた本体１の端部に嵌合するキャップ状の蓋部、１６はスリット８を長辺とし、蓋部１１の下縁１５を短辺とする長方形から構成される音発生用の開口部、１７はゴルフクラブのシャフトである。前記本体１に設けたスリット８，前記蓋部１１に設けたスリット１４とシャフト挿通孔９，１３はシャフト１７の直径と同等の幅であり、スリット８，１４はそれぞれシャフト挿通孔９，１３と連通して設けられている。
【００１９】
本実施例２のゴルフ練習具の取付方法について図５に基づいて説明すると、先ず、図５（ａ）に示すように、例えば、本体７の両端に蓋部１１をスリット８，１４が重なるように嵌合させて取付ける。そして、スリット８，１４からシャフト挿通孔９，１３にシャフト１７を通して端面１０の中心位置までシャフト１７を挿入する。次に、図５（ｂ）に示すように蓋部１１をシャフト１７を中心軸として１８０度回転させる。この回転により、スリット８の上下が蓋部１１，１１により閉鎖され、シャフト挿通孔９，１３でシャフト１７を両側から把持することになり、本体７をシャフト１７に固定することになる。なお、本体７をシャフト１７から外す場合は上記の取付方法の逆の手順により取り外すことができる。以上、本実施例２のゴルフ練習具によれば、簡単に本体７をシャフト１７に取付けて取り外すことができる。そして、開口部１６をゴルフクラブのヘッドのフェースの進行方向に向けて本体７をシャフト１７に取付けることによって、上記実施例１と同様の効果を得ることができる。
【００２０】
また上記実施例１と異なり、本体７を変形させることなくシャフト１７に着脱することができるため、本体７に硬質の材料を使用することができ、本体７の素材はゴム又は合成樹脂に限定されることはない。
【００２１】
なお、本実施例２では、シャフト挿通孔８、１４とスリット９，１３の幅はシャフト１７の直径と略同等の幅としているが、本体７や円筒蓋の素材がゴム製又は可撓性の合成樹脂製等の場合は、やや小さい幅としてもよく、本実施例に限定されない。また、本体７の端部は嵌合する蓋部１１を回転させる必要があるため円筒状である必要があるが、本体７の端部以外の形状については円筒状でなくてもよく、本実施例の形状に限定されない。また、蓋部１１についても同様の理由で、内側面が円筒状である必要があるが、外側面については円筒状でなくてもよく、本実施例の形状に限定されない。そして、蓋部１１を本体７に取付ける方法は、蓋部１１の内側面に雌ネジ、本体７の両端に雄ネジを設けて螺合する方法や、溝とストッパを本体７の両端と蓋部１１にそれぞれ設けて固定するようにしてもよく、本実施例に限定されないことは勿論である。
【実施例３】
【００２２】
図６は、本考案の実施例３を示す正面図、図７は、その上面図、図８は、図７のＢ−Ｂ線断面図、図９は錘を使用した場合の分解斜視図で、１８は円筒状のゴルフ練習具の本体、１９は本体１８内の両端に設けた内側側面２０と仕切壁２１で形成される錘収納部、２２は仕切壁２１の中心から本体１８の側面に亘って設けたシャフト挿通孔、２３は本体１８の側面に設けられたシャフト挿入用のスリット、２４は長辺をスリット２３、短辺を蓋部１１の下縁１５から形成される長方形状の音発生用の開口部、２５は図９に示すように中心から本体１８の側面に亘って設けたシャフト挿通溝２６を有する錘収納部１９に収納する錘である。また、シャフト挿通孔２２とスリット２３は連通して設けられている。なお、実施例２と共通の部品については同じ符号で示し、説明を省略する。
【００２３】
本体１８をゴルフクラブのシャフト１７に取付ける場合は、実施例２に示す方法と同様であり、本体１８の両端に蓋部１１をスリット２３，１４が重なるように嵌合させて取付ける。そして、スリット２３，１４からシャフト挿通孔２２，１３にシャフト１７を通して端面１０の中心位置までシャフト１７を挿入する。次に、蓋部１１をシャフト１７を中心軸として１８０度回転させる。また、本体１８の錘収納部１９に錘２５を入れる場合は、図９に示すように蓋部１１を本体１８に嵌合する前に錘収納部１９にシャフト挿通孔２２とシャフト挿通溝２６が重なるように収納する。
【００２４】
本実施例では、上記の実施例２と同様な効果を得ることができると共に、錘収納部１９に錘を収納して練習することで、実技の時にゴルフクラブが軽く感じられたり、スイングに必要な筋力及び手首のタメ、返しのための筋力を強化することができる。
【００２５】
なお、本実施例では、一つの錘収納部１９に錘２５を一つしか収納していないが、錘２５の大きさを変えたものを複数収納するようにして本体１８の重さを調整できるようにしてもよい。また仕切壁２１の位置を変えて本体１８に入れる錘の最大重量を製品ごとに変えるようにしてもよい。また、実施例１においても本体１のスリット４を変形させて左右に開いて錘２５を本体１の内部の空間に収納するようにしてもよい。また、本体１８を取付け状態のままシャフト１７を中心軸として１８０度回転させれば開口部２４がフェースと反対方向に向くため、スイングを行っても音が発生しないので、音を発生させずに筋力の強化のみの練習に使用することができる。
【符号の説明】
【００２６】
１          本体
２          シャフト挿通孔
３          端面
４          スリット
５          開口部
６          保護部材
【図１】
0003218498.tif 000003
【図２】
0003218498.tif 000004
【図３】
0003218498.tif 000005
【図４】
0003218498.tif 000006
【図５】
0003218498.tif 000007
【図６】
0003218498.tif 000008
【図７】
0003218498.tif 000009
【図８】
0003218498.tif 000010
【図９】
0003218498.tif 000011